(57)【要約】【課題】操作者の視線検出による誤操作の防止対策を、それぞれの操作釦の重要度に応じた厳格さで行うことのできる操作装置および該操作装置を備えた画像処理装置を提供する。【解決手段】操作部２０を操作する操作者の視線を検出する視線検出部２８を有し、操作毎に視線の有効範囲を設定しておく。一の操作釦（たとえば、テンキー３１）に対する操作を受けたとき、操作者の視線がその操作釦に対して設定されている有効範囲６２、６３にあるか否かを調べ、有効範囲になければ（たとえば、操作パネルの外を見ていた場合）、その操作を無効にする。【選択図】図８
2015028734.tif 000002
【特許請求の範囲】
【請求項１】
複数の操作釦を有する操作部と、
前記操作部を操作する操作者の視線を検出する視線検出部と、
前記操作釦毎に、操作者の視線の有効範囲を記憶する有効範囲管理部と、
前記操作部が有する一の操作釦に対する操作を受けたとき、操作者の視線が前記一の操作釦に対する前記有効範囲になければ、前記操作を無効と判定する判定部と、
を有する
ことを特徴とする操作装置。
【請求項２】
第１の操作釦のサイズと該第１の操作釦に対して設定された前記有効範囲のサイズの比と、第２の操作釦のサイズと該第２の操作釦に対して設定された前記有効範囲のサイズの比とが異なる
ことを特徴とする請求項１に記載の操作装置。
【請求項３】
前記操作釦毎に前記有効範囲を変更し得る
ことを特徴とする請求項１または２に記載の操作装置。
【請求項４】
複数種類のジョブについて、ジョブの設定投入の操作を受け付ける機能を有し、
前記有効範囲は、操作釦毎かつジョブの種類毎に設定されており、
前記判定部は、一の操作釦で一の種類のジョブの設定投入の操作を受けたとき、前記一の操作釦と前記一の種類のジョブとの組み合わせに対して設定されている前記有効範囲に基づいて前記判定を行う
ことを特徴とする請求項１乃至３のいずれか１つに記載の操作装置。
【請求項５】
複数の画面が表示される表示部を備え、
前記有効範囲は、操作釦毎かつ画面毎に設定されており、
前記判定部は、前記一の操作釦に対する操作を受けたとき、前記一の操作釦と前記表示部に表示中の画面との組み合わせに対して設定されている前記有効範囲に基づいて前記判定を行う
ことを特徴とする請求項１乃至３のいずれか１つに記載の操作装置。
【請求項６】
前記有効範囲が操作釦の存在する範囲の全部またはその一部のみに設定された第１の操作釦と、
前記有効範囲が操作釦を含みかつ該操作釦の存在する範囲より広い範囲に設定された第２の操作釦と
を有する
ことを特徴とする請求項１乃至５のいずれか１つに記載の操作装置。
【請求項７】
複数の操作釦に対して、該複数の操作釦の存在する範囲を含む共通の有効範囲を設定する
ことを特徴とする請求項１乃至６のいずれか１つに記載の操作装置。
【請求項８】
一の操作釦に対して、前記有効範囲を複数設定し得る
ことを特徴とする請求項１乃至７のいずれか１つに記載の操作装置。
【請求項９】
画像処理部と、
前記画像処理部で行うジョブの投入の操作を受け付ける請求項１乃至８のいずれか１つに記載の操作装置と
を有する
ことを特徴とする画像処理装置。
【発明の詳細な説明】
【技術分野】
【０００１】
本発明は、操作者の視線を検出して操作の有効・無効を判定する操作装置および画像処理装置に関する。
【背景技術】
【０００２】
近年、ユーザの視線を検出して、操作の可否等を制御する技術が各種提案されている。
【０００３】
たとえば、携帯端末において、ユーザの視線が表示画面内にあるか否かを判定し、ユーザの視線が表示画面内にある場合に、キー操作部を有効にする技術がある（特許文献１参照）。
【０００４】
また、カーナビゲーション装置において、運転者の視線を検出し、運転者がナビゲーション装置のモニタに視線を向けているときは、操作キーを非表示にしたり、画面全体を非表示にしたりする技術がある（特許文献２参照）。
【０００５】
また、特許文献３には、文字一覧の中から入力したい文字に視線を合わせて所定の決定操作を行うと、視線を合わせた文字が文字入力される視線入力装置において、決定操作を行った時点で視線が文字から多少ずれていても、視線の位置の時系列な変化に基づいて視線のずれを判断して、ユーザが所望する文字が入力される技術が開示されている。
【先行技術文献】
【特許文献】
【０００６】
【特許文献１】特開２０１２−１４２８７８号公報
【特許文献２】特開２００７−４５１６９号公報
【特許文献３】特開２０１０−２６７０７１号公報
【発明の概要】
【発明が解決しようとする課題】
【０００７】
キー操作の誤入力には、取り返しがつく（間違えても影響が少ない）場合と、取り返しがつかない（間違えると影響が大きい）場合がある。たとえば、ファクシミリ装置において、宛先や各種の設定のために文字や数字を入力している場合には、間違った文字や数字の入力釦を押下しても、入力内容の表示を見れば、間違ったことに気が付いて、修正して再入力することができる。この場合、誤入力があっても取り返しがつく。
【０００８】
一方、ジョブの実行開始操作、リセット操作、メモリからのデータの削除操作などは、誤入力の影響が大きく、取り返しがつかない。たとえば、使い慣れた操作者が、操作釦を見ずに操作している場合に、間違えて送信釦を押してしまうと、送信処理が開始されてしまう。そして、送信完了の表示を見て、送信が実行されたことに初めて気付いたような場合には、もう取り返しがつかない。
【０００９】
特許文献１、２のように表示画面を見ているか否かを、キー操作の有効・無効の判断基準とする技術では、誤操作しても取り返しがつく操作釦と取り返しがつかない操作釦を区別しないので、誤操作しても取り返しがつく操作釦についても、ユーザは表示画面を見ながら操作しなければならない。このため、操作に慣れている人にとっては、ちょっとした余所見もできなくなり、却って不便になる。
【００１０】
したがって、誤操作の対策を、誤操作しても取り返しがつく操作釦と、誤操作の取り返しがつかない操作釦の２種類に区分して行うことが好ましい。しかしながら、操作釦の重要度は様々なので、上記の２種類に区分するだけでは不十分な場合もあり、その場合には、それぞれの操作釦の重要度に応じたよりきめの細かい誤操作の防止対策が望まれる。
【００１１】
たとえば、ある操作釦に対する操作を、ユーザがその操作釦の外形（外枠）だけを見て行ったとする。この場合、ユーザは、操作釦の外形を認識しているが、操作釦の中央などに描かれている文字（釦の名前など）を見ていないので、その操作釦が何の機能を果たす釦であるかを正確に認識していないことがある。
【００１２】
重要度の高い操作釦については、操作者が操作釦に描かれている文字等を見てこの操作釦が何の機能を果たす操作釦であるかを認識していることが望まれる。一方、重要度が中程度の操作釦や誤操作しても取り返しのつく操作釦についてまで、上記のような厳格な誤操作の防止対策を実施すると、操作の利便性が低下してしまう。
【００１３】
本発明は、上記の問題を解決しようとするものであり、操作者の視線検出による誤操作の防止対策を、それぞれの操作釦の重要度に応じた厳格さで行うことのできる操作装置および該操作装置を備えた画像処理装置を提供することを目的としている。
【課題を解決するための手段】
【００１４】
かかる目的を達成するための本発明の要旨とするところは、次の各項の発明に存する。
【００１５】
［１］複数の操作釦を有する操作部と、
前記操作部を操作する操作者の視線を検出する視線検出部と、
前記操作釦毎に、操作者の視線の有効範囲を記憶する有効範囲管理部と、
前記操作部が有する一の操作釦に対する操作を受けたとき、操作者の視線が前記一の操作釦に対する前記有効範囲になければ、前記操作を無効と判定する判定部と、
を有する
ことを特徴とする操作装置。
【００１６】
上記発明では、操作毎に視線の有効範囲を設定しておき、判定部は、一の操作釦に対する操作を受けたとき、操作者の視線がその操作釦に対して設定されている有効範囲になければ、その操作を無効と判定する。
【００１７】
［２］第１の操作釦のサイズと該第１の操作釦に対して設定された前記有効範囲のサイズの比と、第２の操作釦のサイズと該第２の操作釦に対して設定された前記有効範囲のサイズの比とが異なる
ことを特徴とする［１］に記載の操作装置。
【００１８】
上記発明では、操作釦の存在範囲とその操作釦に対する有効範囲とのサイズの比が操作釦によって相違する。たとえば、誤操作の防止を厳格に行う操作釦については操作釦の存在範囲より小さい有効範囲を設定して視線が操作釦からずれることを許容しない。一方、誤操作をある程度許容する操作釦については、該操作釦の存在範囲より広い有効範囲を設定して、ある程度の視線のずれを許容する。
【００１９】
［３］前記操作釦毎に前記有効範囲を変更し得る
ことを特徴とする［１］または［２］に記載の操作装置。
【００２０】
上記発明では、それぞれの操作釦に対して要求される誤操作の防止レベルに応じて、それぞれの操作釦に対する有効範囲を設定することができる。
【００２１】
［４］複数種類のジョブについて、ジョブの設定投入の操作を受け付ける機能を有し、
前記有効範囲は、操作釦毎かつジョブの種類毎に設定されており、
前記判定部は、一の操作釦で一の種類のジョブの設定投入の操作を受けたとき、前記一の操作釦と前記一の種類のジョブとの組み合わせに対して設定されている前記有効範囲に基づいて前記判定を行う
ことを特徴とする［１］乃至［３］のいずれか１つに記載の操作装置。
【００２２】
上記発明では、同じ操作釦に対する有効範囲が、設定投入されるジョブの種類に応じて切り替えられる。
【００２３】
［５］複数の画面が表示される表示部を備え、
前記有効範囲は、操作釦毎かつ画面毎に設定されており、
前記判定部は、前記一の操作釦に対する操作を受けたとき、前記一の操作釦と前記表示部に表示中の画面との組み合わせに対して設定されている前記有効範囲に基づいて前記判定を行う
ことを特徴とする［１］乃至［３］のいずれか１つに記載の操作装置。
【００２４】
上記発明では、同じ操作釦に対する有効範囲が、表示中の画面に応じて切り替えられる。
【００２５】
［６］前記有効範囲が操作釦の存在する範囲の全部またはその一部のみに設定された第１の操作釦と、
前記有効範囲が操作釦を含みかつ該操作釦の存在する範囲より広い範囲に設定された第２の操作釦と
を有する
ことを特徴とする［１］乃至［５］のいずれか１つに記載の操作装置。
【００２６】
上記発明では、有効範囲が操作釦の存在範囲の全部またはその一部（たとえば、文字部分や数字部分や記号部分）のみに設定された第１の操作釦と、有効範囲が操作釦を含みかつ該操作釦の存在する範囲より広い範囲（操作釦の周辺や操作パネル全体など）に設定された第２の操作釦を有する。
【００２７】
［７］複数の操作釦に対して、該複数の操作釦の存在する範囲を含む共通の有効範囲を設定する
ことを特徴とする［１］乃至［６］のいずれか１つに記載の操作装置。
【００２８】
［８］一の操作釦に対して、前記有効範囲を複数設定し得る
ことを特徴とする［１］乃至［７］のいずれか１つに記載の操作装置。
【００２９】
上記発明では、一の操作釦に対して、複数の有効範囲を設定することができる。たとえば、一の操作釦に対して、その操作釦の存在範囲と表示部の存在する範囲の複数箇所を有効範囲として設定する。
【００３０】
［９］画像処理部と、
前記画像処理部で行うジョブの投入の操作を受け付ける［１］乃至［８］のいずれか１つに記載の操作装置と
を有する
ことを特徴とする画像処理装置。
【発明の効果】
【００３１】
本発明に係る操作装置および画像処理装置によれば、操作者の視線検出による誤操作の防止対策を、それぞれの操作釦の重要度に応じた厳格さで行うことができる。
【図面の簡単な説明】
【００３２】
【図１】本発明の実施の形態に係る画像処理装置と、画像処理装置を遠隔操作する操作表示装置を示す図である。
【図２】画像処理装置の概略構成を示すブロック図である。
【図３】操作表示装置の概略構成を示すブロック図である。
【図４】操作パネルを示す正面図である。
【図５】操作者がスタート釦の中央部に描かれている「ＳＴＡＲＴ」の文字部分を見ながらスタート釦を操作した様子を示す図である。
【図６】操作者がスタート釦の文字部分を見ずにスタート釦を操作した様子を示す図である。
【図７】操作者が表示部を見ながらテンキーを操作した様子を示す図である。
【図８】操作者がテンキーに対して設定されている有効範囲を見ずにテンキーを操作した様子を示す図である。
【図９】操作パネルに対して定義されているＸＹ座標を示す図である。
【図１０】定義された複数の有効範囲の一覧を示す図である。
【図１１】操作釦毎の有効範囲情報が登録された管理テーブルの一例を示す図である。
【図１２】各操作釦に対する有効範囲をユーザが設定変更するための視線範囲設定画面の一例を示す図である。
【図１３】一の操作釦に対して複数の有効範囲が設定された管理テーブルを示す図である。
【図１４】表示部に宛先操作画面が表示された状態の操作パネルを示す図である。
【図１５】表示部に宛先入力画面が表示された状態の操作パネルを示す図である。
【図１６】管理テーブル（操作釦別画面別）の一例を示す図である。
【図１７】管理テーブル（操作釦別機能モード別）の一例を示す図である。
【図１８】操作釦の操作を受ける画像処理装置が行う処理を示す流れ図である。
【図１９】有効範囲取得処理（図１８のステップＳ１０３）の詳細を示す流れ図である。
【図２０】操作表示装置から表示部を取り去った構成の操作装置を示すブロック図である。
【発明を実施するための形態】
【００３３】
以下、図面に基づき本発明の実施の形態を説明する。
【００３４】
図１は、本発明の実施の形態に係る画像処理装置１０と、画像処理装置１０を遠隔操作するための操作表示装置４０を示している。操作表示装置４０は、ＬＡＮ（Local Area Network）などのネットワークを介して画像処理装置１０と通信可能に接続される。画像処理装置１０と操作表示装置４０との接続は無線通信でも有線通信でもよいが、無線通信が好ましい。
【００３５】
画像処理装置１０は、原稿を光学的に読み取ってその複製画像を記録紙に印刷するコピー機能、読み取った原稿の画像データをファイルにして保存したり外部端末へネットワークを通じて送信したりするスキャン機能、ＰＣなどからネットワークを通じて受信した印刷データに係る画像を記録紙上に形成して印刷出力するプリンタ機能、ファクシミリ手順に従って画像データを送受信するファクシミリ機能などを備えた、所謂、複合機（ＭＦＰ）である。
【００３６】
画像処理装置１０および操作表示装置４０はそれぞれ、操作者の視線を検出する。そして、操作釦が操作されたとき、その操作された操作釦に対して設定されている視線の有効範囲に操作者の視線があるか否かを調べ、操作者の視線が、該当の操作釦に対して設定されている視線の有効範囲にあれば今回の操作を有効とし、有効範囲になければ今回の操作を無効とする機能を備えている。
【００３７】
図２は、画像処理装置１０の概略構成を示すブロック図である。画像処理装置１０は、当該画像処理装置１０の動作を統括的に制御する制御部としてのＣＰＵ(Central Processing Unit)１１を有している。ＣＰＵ１１にはバスを通じてＲＯＭ(Read Only Memory)１２、ＲＡＭ(Random Access Memory)１３、不揮発メモリ１４、ハードディスク装置１５、自動原稿搬送部（ＡＤＦ：Auto Document Feeder）１８、画像読取部１９、操作部２１、表示部２２、画像処理部２３、プリンタ部２４、認証部２５、ネットワーク通信部２６、ファクシミリ通信部２７、視線検出部２８などが接続されている。
【００３８】
ＣＰＵ１１は、ＯＳ（Operating System）プログラムをベースとし、その上で、ミドルウェアやアプリケーションプログラムなどを実行する。ＲＯＭ１２には、各種のプログラムが格納されており、これらのプログラムに従ってＣＰＵ１１が各種処理を実行することで画像処理装置１０の各機能が実現される。
【００３９】
ＲＡＭ１３は、ＣＰＵ１１がプログラムに基づいて処理を実行する際に各種のデータを一時的に格納するワークメモリや画像データを格納する画像メモリなどとして使用される。
【００４０】
不揮発メモリ１４は、電源をオフにしても記憶内容が破壊されないメモリ（フラッシュメモリ）であり、各種設定情報の保存などに使用される。
【００４１】
ハードディスク装置１５は大容量不揮発の記憶装置であり、印刷データ、表示用の画面のデータのほか各種のプログラムやデータが記憶される。ハードディスク装置１５には、操作釦とその操作釦に対して設定されている視線の有効範囲が関連付けて登録された管理テーブル１７等が記憶されている。
【００４２】
画像読取部１９は、原稿を光学的に読み取って画像データを取得する機能を果たす。画像読取部１９は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００４３】
自動原稿搬送部１８は、原稿台にセットされた原稿をその最上のものから１枚ずつ順に繰り出して搬送し、画像読取部１９の読み取り位置を通過させて所定の排紙位置へ排紙する機能を果たす。画像読取部１９は、プラテンガラス上に載置された原稿を読み取る機能と、自動原稿搬送部１８によって搬送される原稿を順次読み取る機能を備えている。
【００４４】
操作パネル２０は、操作部２１と表示部２２を備え、各種の操作画面、設定画面等を表示する機能、ユーザからジョブの投入など各種の操作を受け付ける機能を果たす。表示部２２は液晶ディスプレイ（ＬＣＤ…Liquid Crystal Display）とそのドライバなどで構成される。操作部２１は、スタート釦やテンキーなどの各種ハードキーと、表示部２２の表示面上に設けられたタッチパネルとを備えている。タッチパネルは、表示部２２の表示面がタッチペンや指などで接触操作された座標位置を検出する。操作部２１は、タッチパネルを通じてフリック操作やドラッグ操作を受け付ける。
【００４５】
画像処理部２３は、画像の拡大縮小、回転などの処理のほか、印刷データをイメージデータに変換するラスタライズ処理、画像データの圧縮、伸張処理などを行う。
【００４６】
プリンタ部２４は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００４７】
認証部２５は、画像処理装置１０を使用するユーザを認証する。認証方法は、パスワード、指紋、静脈など任意でよい。
【００４８】
ネットワーク通信部２６は、操作表示装置４０や外部のＰＣ、サーバなどと通信する機能を果たす。ネットワーク通信部２６は、有線通信と無線通信の双方可能に構成される。なお、有線通信と無線通信のいずれか一方のみ可能に構成されてもよい。
【００４９】
ファクシミリ通信部２７は、ファクシミリ機能を備えた外部装置と電話回線を通じて画像データを送受信する機能を果たす。
【００５０】
視線検出部２８は、画像処理装置１０の操作パネル２０を見ている操作者（使用者）の視線を検出する。視線の検出方法は任意でよい。たとえば、操作パネル２０の上縁中央にカメラを設け、このカメラが撮影した画像を解析し、顔の向きや目の中の瞳の位置などから操作者の視線を検出する。画像処理装置１０は、視線検出部２８で操作者の視線を検出することにより、該操作者が操作パネル２０のどの箇所を見ているかを認識する。
【００５１】
図３は、操作表示装置４０の概略構成を示すブロック図である。操作表示装置４０は、当該操作表示装置４０の動作を統括制御するＣＰＵ４１を有している。ＣＰＵ４１にはバスを通じてＲＯＭ４２と、ＲＡＭ４３と、不揮発メモリ４４と、ハードディスク装置４５と、操作部４８と、表示部４９と、ネットワーク通信部５１と、認証部５２と、視線検出部５３が接続されている。
【００５２】
ＣＰＵ４１は、ＯＳプログラムをベースとし、その上で、ミドルウェアやアプリケーションプログラムなどを実行する。ＲＯＭ４２には、各種のプログラムが格納されており、これらのプログラムに従ってＣＰＵ４１が各種処理を実行することで操作表示装置４０の機能が実現される。
【００５３】
ＲＡＭ４３は、ＣＰＵ４１がプログラムに基づいて処理を実行する際に各種のデータを一時的に格納したり、表示用のデータを格納したりするためのワークメモリとして使用される。
【００５４】
不揮発メモリ４４は、電源をオフにしても記憶内容が破壊されないメモリ（フラッシュメモリ）であり、各種設定情報の保存などに使用される。
【００５５】
ハードディスク装置４５は大容量不揮発の記憶装置であり、表示用の画面のデータのほか各種のプログラムやデータが記憶される。ハードディスク装置４５には、画像処理装置１０の管理テーブル１７と同様の管理テーブル４７等が作成されて記憶される。
【００５６】
表示部４９は、各種の操作画面、設定画面等を表示する機能を果たす。表示部４９は液晶ディスプレイとそのドライバなどで構成される。操作部４８は操作者からジョブの投入など各種の操作を受ける機能を果たす。操作部４８は、スタート釦やテンキーなどの各種ハードキーと、表示部４９の表示面上に設けられたタッチパネルとを備えている。タッチパネルは、表示部４９の表示面がタッチペンや指などで接触操作された座標位置を検出する。操作部４８は、タッチパネルを通じてフリック操作やドラッグ操作を受け付ける。
【００５７】
ネットワーク通信部５１は、画像処理装置１０や外部のＰＣ、サーバなどと通信する機能を果たす。ネットワーク通信部５１は、有線通信と無線通信の双方可能に構成される。なお、有線通信と無線通信のいずれか一方のみ可能に構成されてもよい。
【００５８】
認証部５２は、当該操作表示装置４０を使用する操作者を認証する。ＩＤカード、指紋、ユーザＩＤとパスワードの照合などにより認証される。
【００５９】
視線検出部５３は、操作表示装置４０の操作者の視線を検出する。視線検出部２８と同様に、視線の検出方法は任意でよい。操作表示装置４０は、視線検出部５３で操作者の視線を検出することにより、該操作者が操作表示装置４０のどの部分（表示部４９のどの部分、どの操作釦）を見ているかを認識する。
【００６０】
次に、画像処理装置１０の操作パネル２０にて操作者から操作を受ける場合の動作について説明する。なお、操作者から操作を受ける場合の動作は、画像処理装置１０と操作表示装置４０で同様の動作となるため、ここでは、画像処理装置１０の動作を説明し、操作表示装置４０の動作の説明は省略する。
【００６１】
図４は、画像処理装置１０の操作パネル２０の外観を示す正面図である。なお、操作表示装置４０の正面も図４と同様のため、その説明は省略する。操作パネル２０の左半分に、表示部２２が配置され、右半分には各種のハードキーが配置されている。具体的には、０から９の数字の入力釦および＊、＃の入力釦からなるテンキー３１、スタート釦３２、ストップ釦３３、ヘルプ釦３４、リセット釦３５などがハードキーとして設けられている。また、操作パネル２０の中央上部には、視線検出部２８が有するカメラのレンズ（光の取り入れ口）が配置されている。
【００６２】
図５は、操作者がスタート釦３２の中央部に描かれている「ＳＴＡＲＴ」の文字部分を見ながらスタート釦３２を操作した様子を示している。スタート釦３２は、ジョブの実行開始を指示する重要な操作釦である。スタート釦３２に対する誤操作は取り返しのつかない重度の操作ミスである。このため、スタート釦３２に対する視線の有効範囲６１は、スタート釦３２の中央部（「ＳＴＡＲＴ」の文字が描かれている部分を囲む矩形領域）に設定されている。画像処理装置１０は、操作者からスタート釦３２に対する操作を受けたとき、操作者がスタート釦３２に対して設定されている有効範囲６１内を見ていれば（操作者の視線が有効範囲６１内にあれば）、該スタート釦３２に対する操作を有効と判定して受け付ける。
【００６３】
一方、操作者がスタート釦３２に対して設定されている有効範囲６１を見ていない場合には該スタート釦３２に対する操作を無効と判定して受け付けない。図６の例では、操作者からスタート釦３２に対する操作を受けたとき、操作者はスタート釦３２は見ているが、「ＳＴＡＲＴ」の文字部分ではなく、スタート釦３２の外縁の部分（有効範囲の外）を見ているので、該スタート釦３２に対する操作を無効と判定して受け付けない。
【００６４】
なお、操作者が表示部２２を見ながらスタート釦３２を操作したような場合にも、操作者の視線はスタート釦３２に対して設定されている有効範囲６１内にないので、この操作は無効にされる。
【００６５】
図７は、操作者が表示部２２を見ながらテンキー３１を操作した様子を示している。テンキー３１は、送信宛先の電話番号を入力したり、暗証番号を入力したりする際に使用される。たとえば、電話番号を入力する際のテンキー３１の誤操作は、入力内容を修正できるので、取り返しのつく軽度の操作ミスである。そこで、テンキー３１を見ながらの入力操作と表示部２２を見ながらの入力操作を許容する。そのために、テンキー３１が存在する範囲に対応した有効範囲６２と、表示部２２が存在する範囲に対応した有効範囲６３の２つをテンキー３１に対して設定する。
【００６６】
画像処理装置１０は、操作者からテンキー３１の操作を受けたときに操作者の視線がテンキー３１に対して設定されている有効範囲６２と有効範囲６３のいずれかの範囲にあれば、テンキー３１に対する操作を有効と判定して受け付ける。たとえば、図７に示すように、操作者が表示部２２を見ながらテンキー３１を操作した場合でも、該テンキー３１に対する操作を有効と判定して受け付ける。
【００６７】
しかしながら、図８に示すように、テンキー３１の操作を受けたときに操作者の視線が有効範囲６２と有効範囲６３のいずれかも外れた位置にある場合は、該テンキー３１に対する操作を無効と判定して受け付けない。
【００６８】
このように、画像処理装置１０では、スタート釦３２などの重要な操作釦についてはその操作釦の存在範囲（あるいはその中央部分のみ）を有効範囲に設定し、一方、テンキー３１のように誤操作による影響が少ない操作釦については、その操作釦の存在範囲よりも広い範囲を有効範囲に設定するといったことができる。すなわち、画像処理装置１０では、一の操作釦のサイズと該操作釦に対して設定された有効範囲のサイズの比と、他の一の操作釦のサイズと該他の一の操作釦に対して設定された有効範囲のサイズの比とを相違させることができる。これにより、操作釦毎に、その操作釦における誤操作防止の必要性の高低に応じた大きさ（広さ）の有効範囲を設定することができる。
【００６９】
図９は、操作パネル２０に対して定義されているＸＹ座標を示している。操作パネル２０の左上の角を原点とし、操作パネル２０の長辺方向をＸ方向、短辺方向をＹ方向とする座標を定義してある。たとえば、座標上の「１」は、操作パネル２０上の１ｃｍの長さに対応するものとする。有効範囲は、この座標上の座標情報で定義される。たとえば、矩形の有効範囲は、対向する２つの頂点の座標で定義される。
【００７０】
画像処理装置１０では、まず、図９に示すＸＹ座標上で任意の有効範囲を複数定義する。
【００７１】
図１０は、定義された複数の有効範囲の一覧を例示している。有効範囲は、範囲名と範囲定義と範囲タイプによって定義される。範囲名は定義した各有効範囲に対して付与した識別名称である。ここでは、R_START、R_DISPLAY、R_TENKEY、R_STOP、R_ANYの５つの有効範囲が定義されている。
【００７２】
範囲タイプは、定義対象の範囲の形状が「矩形」であるか、「どこでもよい型」であるかを示す。「どこでもよい型」は、視線の位置に係らず操作を有効にすることを示している。
【００７３】
範囲定義は、範囲タイプが「矩形」の場合には、有効範囲として定義される矩形の２つの対角頂点の座標を示す。範囲タイプが「どこでもよい型」の場合には範囲定義には何も登録されない。
【００７４】
このようにして定義した有効範囲の範囲名を操作釦に関連付けることで、各操作釦に対する有効範囲が定義される。
【００７５】
図１１は、操作釦毎に、操作釦名とその操作釦に対して設定された有効範囲の範囲名とを対応付けした有効範囲情報の登録された管理テーブル１７の一例を示している。この例では、スタート釦３２に対して範囲名がR_STARTの有効範囲が設定されている。また、ストップ釦３３に対して範囲名がR_STOPの有効範囲が設定されている。これらの設定では、操作釦の存在範囲と有効範囲とのサイズの比がほぼ１になっている。
【００７６】
テンキー（１）（数字１の入力釦）およびテンキー（２）（数字２の入力釦）にはそれぞれ、範囲名がR_ANYの有効範囲が設定されている。範囲名がR_ANYの有効範囲は、図１０で定義したように、「どこでもよい型」である。テンキー（１）、テンキー（２）については、操作釦の存在範囲と有効範囲とのサイズの比が、無限大になっている。
【００７７】
図１１に示す管理テーブル１７によれば、スタート釦３２に対する操作は、操作者の視線が有効範囲（R_START）にあれば有効とされ、操作者の視線が有効範囲（R_START）になければ無効とされる。同様に、ストップ釦３３に対する操作は、操作者の視線が有効範囲（R_STOP）にあれば有効とされ、操作者の視線が有効範囲（R_STOP）になければ無効とされる。
【００７８】
テンキー（１）やテンキー（２）に対する操作は、操作者の視線がどこにあっても有効とされる。すなわち、操作者の視線の位置に係らず有効にされる。
【００７９】
図１２は、各操作釦に対する有効範囲をユーザが設定変更するための視線範囲設定画面７０の一例を示している。図１２は、テンキー（１）に対する有効範囲を設定する場合を示している。図１０に示すような有効範囲の定義は前もって行われているものとする。
【００８０】
視線範囲設定画面７０には、操作パネル２０が模擬表示されると共に、この模擬表示された操作パネルに重ねて、定義済みの各有効範囲が表示される。また、どこでも釦７１、ＯＫ釦７２、Ｃａｎｃｅｌ釦７３が表示される。どこでも釦７１は、「どこでもよい型」の有効範囲R_ANYを選択する際に使用される。
【００８１】
模擬表示された操作パネルに重ねて表示されている有効範囲にタッチすると、その有効範囲が選択状態にされる。有効範囲は複数選択することができる。１または複数の有効範囲が選択された後にＯＫ釦７２の操作を受けると、該当の操作釦（この例ではテンキー（１））に対する有効範囲が確定して登録される。Ｃａｎｃｅｌ釦７３は、選択状態を解除するための操作釦である。
【００８２】
たとえば、ユーザは、テンキー（１）に対する操作を、操作者の視線がテンキー３１の範囲(R_TENKEY)または表示部２２の範囲(R_DISPLAY)のいずれかにあるときのみ有効にしたい場合には、図１２に示す視線範囲設定画面７０においてR_TENKEYとR_DESIPLAYの範囲を選択してＯＫ釦７２を押下すればよい。このとき、管理テーブル１７には、テンキー（１）に関して図１３に示すような有効範囲情報が登録される。
【００８３】
＜具体例１：ScanToEmail送信のジョブを行う場合＞
ScanToEmail送信のジョブは、画像読取部１９で原稿を光学的に読み取って得た画像をファイル化し、このファイルを添付した電子メール（Email）を指定された宛先に送信するジョブである。
【００８４】
このジョブは、ユーザが画像読取部１９に原稿をセットし、操作パネル２０の表示部２２に表示された宛先リストの中から所望の宛先をタッチ操作によって選択し、スタート釦３２を押すという手順で実行される。通常、画像処理装置１０は、スタート釦３２が押下されたら直ちに送信を開始する。
【００８５】
ところで、操作者が表示部２２に表示された画面を見ながらテンキー３１を押下しようとしたとする。たとえば、宛先入力時に、メールアドレスを入力する場合にテンキー３１を操作したとする。このときに操作者が、ハードキーの方を見ずに、表示部２２上の画面を見ながらテンキー３１を操作していたので、操作者の小指等がスタート釦３２に誤って触れてしまい、意図せずにスタート釦３２を押下してしまったとする。
【００８６】
しかしながら、この場合は、スタート釦３２が操作されたときに、操作者の視線がスタート釦３２に対して設定されている有効範囲内にないので、スタート釦３２に対する操作は無効にされる。
【００８７】
詳細には、画像処理装置１０のＣＰＵ１１は、操作パネル２０において操作者から任意の操作釦の操作を受けると、視線検出部２８によって操作者の視線位置を検出し、操作者が見ていた場所を特定する。また、管理テーブル１７を参照し、操作された操作釦に対して設定されている有効範囲を取得する。ここでは、スタート釦３２に対して設定されている有効範囲を図６の有効範囲６１とする。ＣＰＵ１１は、操作者の視線位置がこの有効範囲６１内か否かを判定し。有効範囲６１にあれば、今回のスタート釦３２に対する操作を有効とし、有効範囲６１になければ、今回のスタート釦３２に対する操作を無効にする。
【００８８】
このように制御すると、操作者はScanToEmail送信を実行させる際に必ずスタート釦３２を見ていなければならないので、誤操作が防止される。
【００８９】
＜具体例２：テンキーで数字を入力する場合＞
テンキー３１などでコピー部数や宛先の電話番号などの数字を入力する場合、視線がテンキー３１になくてもよい場合がある。たとえば、ユーザの中にはテンキー３１は見ないが、入力が反映される表示部２２を見ながらテンキー３１を操作する人もいる。そのような、ただ入力するだけの操作釦では、有効範囲を特に指定しないでもよい(「どこでもよい型」の設定でよい)。
【００９０】
また、図７の例のように表示部２２に対応する有効範囲６３とテンキー３１を囲む有効範囲６２とを、テンキー３１に対する有効範囲に設定して有効範囲を絞り込んでもよい。このようにすると、テンキー３１で数字を入力するときは表示部２２またはテンキー３１を見なくてはならないので、誤入力が防止される。
【００９１】
このように、一の操作釦に対する操作を受けたとき、操作者の視線がその操作された操作釦に対して設定されている有効範囲になければ無効になり、有効範囲にあるときだけその操作が有効になる。これにより、各操作釦の重要度に応じて広さの異なる有効範囲を設定すれば、それぞれの操作釦の役割に応じて誤操作の防止と効果と操作の利便性（別の箇所を見ながら操作できる利便性）のバランスをとることができる。
【００９２】
次に、一の操作釦に対する有効範囲が、表示部２２に表示されている画面に応じて切り替わる場合について説明する。
【００９３】
図１４は、表示部２２に宛先操作画面８０が表示された状態の操作パネル２０を示している。宛先操作画面８０では、現在入力した宛先に対して送信を実行する操作や、宛先リストに宛先を追加する操作を受け付ける。通常、テンキー３１は数値の入力で使用されるが、図１４に示す宛先操作画面８０では、ショートカットキーとして利用される。
【００９４】
具体的には、テンキー（１）は宛先追加釦８１と同じ機能を果たし、テンキー（２）は送信実行釦８２と同じ機能を果たす。そこで、画像処理装置１０は、表示部２２に宛先操作画面８０を表示している状態では各テンキー３１に対して、たとえば、R_TENKEYの範囲を有効範囲に設定して誤操作を防止する。
【００９５】
表示部２２に宛先操作画面８０が表示された状態で各テンキーに対してR_TENKEYを有効範囲に設定することで、テンキー（１）が押下されたときに操作者の視線がテンキー（１）を含むR_TENKEYの範囲にあれば、画像処理装置１０は、当該操作を有効とする。そして、宛先追加釦８１が操作された場合と同様に、表示部２２に表示する画面を図１５に示す宛先入力画面８５に遷移させる。
【００９６】
一方、表示部２２に宛先操作画面８０が表示された状態でテンキー（１）が押下されたときに操作者の視線がR_TENKEYの範囲になければ、画像処理装置１０は、当該操作を無効にする。
【００９７】
また、表示部２２に宛先操作画面８０が表示された状態でテンキー（２）が押下されたときに操作者の視線がR_TENKEYの範囲にあれば、画像処理装置１０は、当該操作を有効とし、送信実行釦８２が操作された場合と同様に、送信処理を実行する。
【００９８】
一方、表示部２２に宛先操作画面８０が表示された状態でテンキー（２）が押下されたときに操作者の視線がR_TENKEYの範囲になければ、画像処理装置１０は、当該操作を無効とし、送信処理を実行しない。
【００９９】
図１５に示す宛先入力画面８５では、テンキー３１は数値の入力に使用される。数字を入力するためだけの操作釦に対する誤操作は取り返しがつく。そこで、表示部２２に宛先入力画面８５を表示した状態では、テンキー３１に対する有効範囲を、たとえば、どこを見ていても無効にされない「どこでもよい型」に設定する。なお、図１５の宛先入力画面８５の中にあるテンキー８６はソフトウェアキーボードであり、押下すると数値が宛先欄８７に入力される。
【０１００】
表示部２２に宛先入力画面８５が表示された状態でハードキーであるテンキー（１）が押下されたときに、操作者が宛先入力画面８５（表示部２２）を見ているために、操作者の視線がテンキー（１）にない場合でも、画像処理装置１０は、当該操作を有効とする。具体的には、数字「１」の入力を受け付けて、宛先欄８７に「１」を追加表示する。
【０１０１】
図１６は、各操作釦に対する有効範囲を画面毎に変更する場合に対応した管理テーブル１７の一例を示している。図１６に示す管理テーブル１７には、操作釦毎に、宛先操作画面８０が表示されている場合の有効範囲と宛先入力画面８５が表示されている場合の有効範囲が登録されている。この例では、テンキー（１）、テンキー（２）、テンキー（３）…に対する有効範囲は、宛先操作画面８０が表示された場合はR_TENKEYに設定され、宛先入力画面８５が表示された場合はR_ANY（どこでもよい型）に設定される。
【０１０２】
ＣＰＵ１１は、各操作釦に対する設定を自動的に切り替える設定切替部としての機能を果たす。具体的には、ＣＰＵ１１は任意の操作釦が操作されたとき、その時点で表示部２２に表示されている画面を特定し、その特定した画面に対応する部分の有効範囲情報を管理テーブル１７から取得して、操作された操作釦の現在の表示画面での有効範囲を認識する。そして、視線がその有効範囲内にあるか否かによって、今回の操作の有効無効を判定する。
【０１０３】
R_TENKEYは、１〜９、＊、＃のすべてのテンキー（テンキー群とする）を囲む範囲である。図１６に示す管理テーブル１７では、R_TENKEYに含まれるテンキー（１）、テンキー（２）、テンキー（３）…などの複数の操作釦に対して、これらの操作釦を含む共通の有効範囲（R_TENKEY）を設定してある。すなわち、一のテンキーに対する操作は、操作者がそのテンキーを見ていなくても、テンキー群の中のどこかを見ていれば有効にされる。これは、操作の有効無効を判定する際の視線の位置に対する厳格さのレベルを、ある程度下げた設定になっている。
【０１０４】
次に、一の操作釦に対する有効範囲が、機能モードによって切り替わる場合について説明する。
【０１０５】
画像処理装置１０は、設定投入されるジョブの種類に対応した複数の機能モードを備えている。画像処理装置１０は、各ジョブの設定投入操作を受ける際に、まず、機能モードの選択を受ける。たとえば、コピージョブに関する設定投入操作を行う場合、ユーザは、まず、機能モードの１つであるコピーモードを選択する。画像処理装置１０は、コピーモードの選択操作を受けると、コピージョブ用の設定画面を表示部２２に表示して各種の設定操作を受け付ける。
【０１０６】
機能モードには、コピージョブの設定投入を受け付けるコピーモード、ScanToEmail送信などのスキャンジョブの設定投入を受け付けるスキャンモード、ファクシミリジョブの設定投入を受け付けるＦＡＸモード、ボックスへの入出力を行うボックスジョブの設定投入を受け付けるＢＯＸモードなどがある。ボックスは、ユーザ別やグループ別に区分けされた記憶領域である。通常、ボックス毎にＩＤとパスワードが設定されている。ＩＤでボックスの選択を行う。ボックスに記憶されているファイルのプリント出力等には正しいパスワードの入力が要求される。
【０１０７】
図１７は、１つの操作釦に対する有効範囲を機能モード毎に登録した管理テーブル１７の一例を示している。図１７では、スタート釦３２に対するコピーモードでの設定と、スキャンモードでの設定と、ＦＡＸモードでの設定と、ＢＯＸモードでの設定が登録されている。
【０１０８】
ＣＰＵ１１は、選択された機能モードに対応する部分の管理テーブル１７を参照する。これにより、操作された操作釦に対する有効範囲が、選択された機能モードに応じて自動的に切り替わる。
【０１０９】
図１７の例では、スタート釦３２に対する有効範囲は、コピーモードとＢＯＸモードではR_ANY（どこでもよい型）になり、スキャンモードとＦＡＸモードではR_STARTの範囲になるように自動的に切り替えられる。
【０１１０】
コピーモードでは、間違ってスタート釦３２を操作してもミスプリントになるだけである。また、ＢＯＸモードは読み取った原稿画像のファイルを保存するだけである。すなわち、これらの機能モードでのスタート釦３２の誤操作は、ある程度は取り返しのつく操作ミスと考えられる。そこで、コピーモードとＢＯＸモードでは、スタート釦３２に対する有効範囲をR_ANY（どこでもよい型）としている。
【０１１１】
一方、スキャンモードやＦＡＸモードでは送信処理が実行されるので、たとえば、正しい宛先が設定されていない状態でのスタート釦３２の誤操作は取り返しのつかない操作ミスとなる。そのため、これらの機能モードではスタート釦３２の有効範囲をR_START（スタート釦３２の存在する範囲）として、スタート釦３２を見ずに操作すると操作が無効になるようにしてある。
【０１１２】
一の操作釦に対して設定する各機能モードの有効範囲は、それぞれの機能モードでその操作釦の果たす役割や誤操作によって生じる問題の大小に応じて適宜に設定すればよい。なお、図１７では、スタート釦３２についてのみ示したが、複数の操作釦について機能モード別に有効範囲を切り替える場合には、それらの各操作釦について機能モード別の有効範囲を登録すればよい。すなわち、操作釦別機能モード別の管理テーブル１７が作成される。
【０１１３】
図１８は、操作釦の操作を受ける画像処理装置１０が行う処理の流れを示している。画像処理装置１０のＣＰＵ１１は、操作パネル２０に設けられているいずれかの操作釦が押下されたら（ステップＳ１０１；Ｙｅｓ）、視線検出部２８にて検出された操作者の視線の位置を取得する（ステップＳ１０２）。次に、管理テーブル１７を参照して、今回操作された操作釦に対する有効範囲を取得する（ステップＳ１０３）。
【０１１４】
１つの操作釦に対して有効範囲は複数設定されることがある。ステップＳ１０３で取得した有効範囲の数をｎとする。
【０１１５】
ステップＳ１０２で取得した視線の位置が、ステップＳ１０３で取得したいずれかの有効範囲に含まれるか否かを調べ（ステップＳ１０４〜ステップＳ１０７）、いずれかの有効範囲に含まれる場合は（ステップＳ１０６；Ｙｅｓ）、今回の操作を有効と判断して、該当する処理を実行して（ステップＳ１０８）、本処理を終了する。
【０１１６】
ステップＳ１０２で取得した視線の位置が、ステップＳ１０３で取得したいずれの有効範囲にも含まれない場合は（ステップＳ１０６；Ｎｏ、ステップＳ１０５；Ｎｏ）、今回の操作を無効にして、処理を終了する。
【０１１７】
図１９は、有効範囲取得処理（図１８のステップＳ１０３）の詳細を示している。まず、装置状態を示す情報を取得する（ステップＳ１２１）。ここでは、装置状態を示す情報として、現在の機能モードと、表示部２２に表示中の画面の識別情報（画面ＩＤなど）を取得する。
【０１１８】
次に、今回操作された操作釦を特定する（ステップＳ１２２）。そして、この特定した操作釦とステップＳ１２１で取得した装置状態との組み合わせに対して設定されている有効範囲を管理テーブル１７から取得して（ステップＳ１２３）、本処理を終了する（リターン）。
【０１１９】
以上の動作は、操作表示装置４０においても同様である。
【０１２０】
このように、画像処理装置１０、操作表示装置４０では、それぞれの操作釦に対して視線の有効範囲を設定することができるので、たとえば、誤操作が取り返しのつかない操作ミスになる操作釦には、その操作釦を見ながら操作しなければ操作が無効になるような有効範囲を設定し、誤操作しても取り返しのつく操作釦には、その操作釦を見ずに操作しても操作が有効になるような有効範囲を設定することができる。これにより、取り返しのつかない誤操作を防止しつつ、通常の操作での利便性（別の箇所を見ながら操作できる利便性）を確保することができる。
【０１２１】
また、有効範囲の大きさ、形状、場所、数などを任意に設定できるので、それぞれの操作釦に応じた有効範囲を設定することができる。
【０１２２】
また、表示部２２、４９に表示された画面の種類や選択されている機能モードに応じて、自動的に、各操作釦に対する有効範囲を切り替えるので、装置状態によって操作釦の役割等が変化する場合にも対応することができる。
【０１２３】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１２４】
実施の形態では、画像処理装置１０を複合機としたが、画像処理部と該画像処理部に実行させるジョブの設定投入の操作を受け付ける操作装置とを備える装置であれば、複写機やプリンタなど他の種類の装置でも本発明は適用される。
【０１２５】
実施の形態で示した有効範囲の設定方法は例示であり、これに限定されない。たとえば、有効範囲は矩形以外の任意の形状に設定されてもよい。また、有効範囲を、（１）操作釦の存在範囲とする、（２）操作釦の存在範囲とその周辺部分とする、（３）操作釦の中央部分（釦の名称や機能を示す情報が記載されている部分）のみとする、（４）操作パネル全体とする、などの選択肢の中から選択して設定できるようにしてもよい。
【０１２６】
処理の実行開始、入力の確定、処理の中止、のいずれかの指示を受け付ける操作釦については、視線の有効範囲をその操作釦の存在範囲やその操作釦の文字部分のみなどとすることが好ましい。一方、処理の実行開始と、入力の確定と、処理の中止以外の指示を受ける操作釦については、有効範囲を操作釦の存在範囲より広い範囲としたりどこでもよい型に設定したりすることが望ましい。
【０１２７】
また、視線の有効範囲が判定される操作釦はハードキーに限定されず、表示部２２等に表示される操作釦（ソフトキー）でもよく、操作者の操作を受け付ける任意の操作釦でよい。
【０１２８】
実施の形態では、視線が有効範囲にある場合は操作を有効としたが、視線が有効範囲にない場合に操作を無効にすればよく、操作を有効にする条件は視線以外の条件が加味されてもよい。
【０１２９】
また、本発明の操作装置として、画像処理装置１０を遠隔操作する操作表示装置４０を例示したが、これに限定されない。また、本発明の操作装置は、図２０に示すように、図３の操作表示装置４０から表示部４９を取り去った構成の操作装置４０Ｂとして構成されてもよい。
【０１３０】
各テンキーに対する視線の有効範囲をテンキー群（１〜９、＊、＃の入力釦）の存在する範囲（R_TENKEY）としたが、個々のテンキーに対する視線の有効範囲をそれぞれのテンキーの存在範囲としてもよい。たとえば、テンキー（１）の有効範囲をテンキー（１）の存在範囲のみとしてもよい。
【０１３１】
実施の形態では,管理テーブル１７の登録内容を任意にユーザが変更可能としたが、予め登録された内容をユーザが変更できない構成でもよい。
【０１３２】
また、実施の形態では、操作釦が押下されたときの視線の位置によってその操作の有効無効を判定したが、操作釦が押下される直前の視線の位置を勘案するようにしてもよい。たとえば、押下する前に操作釦の位置を視線で確認し、指先がその操作釦に近づいたら視線を他の場所に移動させるような操作がされた場合にも有効操作として対応することができる。
【符号の説明】
【０１３３】
１０…画像処理装置
１１…ＣＰＵ
１２…ＲＯＭ
１３…ＲＡＭ
１４…不揮発メモリ
１５…ハードディスク装置
１７…管理テーブル
１８…自動原稿搬送部
１９…画像読取部
２０…操作パネル
２１…操作部
２２…表示部
２３…画像処理部
２４…プリンタ部
２５…認証部
２６…ネットワーク通信部
２７…ファクシミリ通信部
２８…視線検出部
３１…テンキー
３２…スタート釦
３３…ストップ釦
３４…ヘルプ釦
３５…リセット釦
４０…操作表示装置
４０Ｂ…操作装置
４１…ＣＰＵ
４２…ＲＯＭ
４３…ＲＡＭ
４４…不揮発メモリ
４５…ハードディスク装置
４７…管理テーブル
４８…操作部
４９…表示部
５１…ネットワーク通信部
５２…認証部
５３…視線検出部
６１、６２、６３…有効範囲
７０…視線範囲設定画面
７１…どこでも釦
７２…ＯＫ釦
７３…Ｃａｎｃｅｌ釦
８０…宛先操作画面
８１…宛先追加釦
８２…送信実行釦
８５…宛先入力画面
８６…テンキー
８７…宛先欄
【図２】
2015028734.tif 000003
【図３】
2015028734.tif 000004
【図１０】
2015028734.tif 000005
【図１１】
2015028734.tif 000006
【図１３】
2015028734.tif 000007
【図１６】
2015028734.tif 000008
【図１７】
2015028734.tif 000009
【図１８】
2015028734.tif 000010
【図１９】
2015028734.tif 000011
【図２０】
2015028734.tif 000012
【図１】
2015028734.tif 000013
【図４】
2015028734.tif 000014
【図５】
2015028734.tif 000015
【図６】
2015028734.tif 000016
【図７】
2015028734.tif 000017
【図８】
2015028734.tif 000018
【図９】
2015028734.tif 000019
【図１２】
2015028734.tif 000020
【図１４】
2015028734.tif 000021
【図１５】
2015028734.tif 000022